(57)【要約】【課題】簡便かつ精度よく測定することができる検査装置を提供すること。【解決手段】本願に係る検査装置１は、両端が開口した筒状部材１０と、捕集部４０と、流量計５０とを有する。捕集部４０は、筒状部材１０の内部に収容され、筒状部材１０の一端１１側から採取された流体に混在する不溶性試料を捕集する。流量計５０は、筒状部材１０の他端１２側に配置され、捕集部４０を通過した流体の流量を測定する。【選択図】図２
2020180801.tif 000002
【特許請求の範囲】
【請求項１】
両端が開口した筒状部材と、
前記筒状部材の内部に収容され、前記筒状部材の一端側から採取された流体に混在する不溶性試料を捕集する捕集部と、
前記筒状部材の他端側に配置され、前記捕集部を通過した流体の流量を測定する流量計と、
を有することを特徴とする検査装置。
【請求項２】
前記筒状部材の一端側に前記流体を導入する導入部をさらに有することを特徴とする請求項１に記載の検査装置。
【請求項３】
前記筒状部材は、前記導入部および前記流量計と着脱可能に固定されていることを特徴とする請求項２に記載の検査装置。
【請求項４】
前記筒状部材は、少なくとも長さ方向に伸縮可能な伸縮ダクトであることを特徴とする請求項１〜３のいずれか１つに記載の検査装置。
【請求項５】
前記捕集部は、前記筒状部材の内部で形状可変に支持されることを特徴とする請求項１〜４のいずれか１つに記載の検査装置。
【請求項６】
前記筒状部材は、内部が直接または間接に視認可能に構成されることを特徴とする請求項１〜５のいずれか１つに記載の検査装置。
【請求項７】
前記筒状部材は、吊り下げ用部材を取り付ける取付部を前記一端側および前記他端側に有することを特徴とする請求項１〜６のいずれか１つに記載の検査装置。
【請求項８】
前記捕集部は、捕集サイズの異なる複数の捕集部材を有することを特徴とする請求項１〜７のいずれか１つに記載の検査装置。
【発明の詳細な説明】
【技術分野】
【０００１】
本発明の実施形態は、検査装置に関する。
【背景技術】
【０００２】
近年、いわゆるマイクロプラスチックによる環境への影響が懸念されている。マイクロプラスチックは、例えば１〜数ｍｍ以下のサイズを有する微小プラスチック片であり、河川に流出した家庭用排水やプラスチックごみが主たる要因であると考えられている。
【０００３】
マイクロプラスチックの実態解明および対策のための一環として、河川からのマイクロプラスチックの採取が行われている。具体的には、例えば、単位水量当たりのマイクロプラスチック量を迅速かつ簡便に測定するために、ネットと濾水計とを組み合わせた検査装置が使用されている。
【先行技術文献】
【特許文献】
【０００４】
【特許文献１】特開２００４−１２４６７号公報
【発明の概要】
【発明が解決しようとする課題】
【０００５】
しかしながら、簡便な検査装置では、満足のいく精度が得られない場合があった。
【０００６】
本願は、上記に鑑みてなされたものであって、簡便かつ精度よく測定することができる検査装置を提供することである。
【課題を解決するための手段】
【０００７】
上述した課題を解決し、目的を達成するために、本発明に係る検査装置は、両端が開口した筒状部材と、前記筒状部材の内部に収容され、前記筒状部材の一端側から採取された流体に混在する不溶性試料を捕集する捕集部と、前記筒状部材の他端側に配置され、前記捕集部を通過した流体の流量を測定する流量計と、を有することを特徴とする。
【発明の効果】
【０００８】
実施形態の一態様によれば、簡便かつ精度よく測定することができる。
【図面の簡単な説明】
【０００９】
【図１】図１は、実施形態に係る検査装置の斜視図である。
【図２】図２は、実施形態に係る検査装置の断面の概略を示す図である。
【図３】図３は、実施形態の変形例に係る捕集部を示す図である。
【発明を実施するための形態】
【００１０】
以下に、本願に係る検査装置を実施するための形態（以下、「実施形態」と記載する。）について図面を参照しつつ詳細に説明する。なお、この実施形態により本願に係る検査装置が限定されるものではない。また、以下の実施形態において同一の部位には同一の符号を付し、重複する説明は省略される。
【００１１】
［実施形態］
［検査装置の構成］
まず、図１を用いて、実施形態に係る検査装置の構成の一例について説明する。図１は、実施形態に係る検査装置の斜視図である。
【００１２】
検査装置１は、取水口２１から採取した流体を排出口５４から排出する（例えば、図２の矢印参照）。検査装置１は、採取した流体中に混在する不溶性試料を捕集するとともに、採取した流体の流量を測定する。流体は、例えば河川を流れる水である。検査装置１は、例えば長さ方向が略水平方向に沿うような姿勢で移動または固定させて使用される。
【００１３】
次に、図１、図２を用いて、実施形態に係る検査装置１の構成についてさらに説明する。図２は、実施形態に係る検査装置の断面の概略を示す図である。図１、図２に示すように、検査装置１は、筒状部材１０と、捕集部４０と、取水部材２０と、導入部３０と、流量計５０とを有する。
【００１４】
筒状部材１０は、長さ方向の両端、すなわち一端１１および他端１２が開口した略円筒形状の部材である。筒状部材１０は、取水部材２０および導入部３０と流量計５０との間に配置されている。筒状部材１０は、例えば取水部材２０および導入部３０ならびに流量計５０と着脱可能に固定されていると、例えば検査装置１または検査装置１を構成する各部品の搬送や分解・組み立て、捕集部４０の洗浄や交換が容易になり、作業性が向上する。
【００１５】
また、筒状部材１０の内部１４には、捕集部４０の捕集ネット４１が収容されている。筒状部材１０は、取水部材２０から採取された流体を捕集ネット４１に誘導し、捕集ネット４１を通過した流体は、流量計５０に送られる。
【００１６】
筒状部材１０は、例えば、少なくとも長さ方向に伸縮可能な伸縮ダクトである。伸縮ダクトとしては、例えば、蛇腹状に配設されたフレキシブルダクトまたはアコーディオンダクト（ベローダクト）が適用できる。筒状部材１０を伸縮ダクトで構成することにより、検査装置１や筒状部材１０の搬送が容易になる。なお、図２に示した例では、図示を容易にするために、筒状部材１０を直管形状としている。
【００１７】
筒状部材１０は、一部または全部を透明部材で構成してもよい。筒状部材１０を透明にすると、検査装置１を分解しなくても筒状部材１０の内部が直接的に視認可能となり、例えば捕集ネット４１の目詰まり等の状況が確認しやすくなる。なお、筒状部材１０の内部を撮影するカメラを配置し、目視では視認できない筒状部材１０の内部を間接的に視認可能に構成してもよい。
【００１８】
取水部材２０は、後述する筒状部材１０の一端１１側に配置されている。取水部材２０は、取水部２６と、整流部２２とを有する。
【００１９】
取水部２６は、筒状部材１０の一端１１と向かい合う一端２４と、一端２４とは反対側に位置する他端２５とを有し、略円筒形状に形成されている。他端２５には、１または複数の取水口２１が開口している。また、取水部２６は、長さ方向に交差する径方向に開口する補助取水口２３を有してもよい。
【００２０】
整流部２２は、取水部２６の他端２５から筒状部材１０とは反対側に突出する流線形状の突起である。整流部２２は、取水部２６からの流体の取り込みを円滑にする。なお、整流部２２は、軽量化のために中空とされているが、中実であってもよい。また、取水部材２０は、整流部２２を有さなくてもよい。
【００２１】
また、取水部材２０は、連通部２７を有する。連通部２７は、取水部材２０の内部に形成された空間であり、取水口２１および補助取水口２３と筒状部材１０とを連通させる。また、連通部２７には、導入部３０が収容されている。
【００２２】
導入部３０は、取水部２６から採取された流体を筒状部材１０の一端１１側に導入する。導入部３０は、本体部３１と、本体部３１を駆動させる駆動部３２とを有し、取水部材２０の連通部２７に収容されている。本体部３１は、例えば回転により流体を流動させるスクリューまたはプロペラである。本体部３１が駆動することにより、例えば検査装置１の設置箇所における流体の流れが少ない場合であっても、流体の採取効率を高めることができる。なお、導入部３０の駆動源は、例えば検査装置１に内蔵した乾電池または蓄電池といった電池であってもよく、外部電源であってもよい。
【００２３】
なお、導入部３０および取水部材２０として、例えば既存の水中スクータの動力部分、およびこの動力部分を収容する筐体をそのまま転用してもよい。かかる場合、必要に応じて、筒状部材１０を着脱可能に設置するためのはめ込み孔（不図示）を取水部２６の一端２４側に設けると、筒状部材１０と取水部材２０との着脱が容易になる。
【００２４】
捕集部４０は、捕集ネット４１と、支持部４２とを有する。捕集ネット４１は、例えば樹脂または金属で形成されたいわゆるプランクトンネットである。捕集ネット４１は、取水部２６から採取された流体に混在する不溶性試料、例えばマイクロプラスチックを捕集する。捕集ネット４１は、例えば円錐形状または漏斗形状とすることができるが、捕集ネット４１の形状はこれに限らない。
【００２５】
また、支持部４２は、捕集ネット４１の端部を支持する環状の部材である。支持部４２は、筒状部材１０の一端１１と取水部２６の一端２４との間に挟まれるように配置されている。取水部２６から採取された流体が、捕集ネット４１を通過せずに迂回して筒状部材１０の他端１２側に到達する不具合を防止するために、例えば筒状部材１０の内壁１３と捕集部４０との間に、環状のシール部材（不図示）を配設してもよい。
【００２６】
流量計５０は、第１装着部５１と、第２装着部５２と、測定部５３と、排出口５４とを有する。第１装着部５１は、流量計５０の一端５５側に設けられた開口であり、筒状部材１０の他端１２が装着される。また、第２装着部５２は、排出口５４側に設けられた開口であり、測定部５３が装着される。図２に示す例では、第１装着部５１および第２装着部５２は、開口径が異なるように図示されたが、同じであってもよい。
【００２７】
測定部５３は、捕集部４０の捕集ネット４１を通過した流体の流量を測定する。測定部５３としては、例えば各種の濾水計を適用することができる。ただし、流体の流量を所望の精度で測定することができるものであればこれに限らない。
【００２８】
また、測定部５３と排出口５４との間に、例えば排出口５４からの流体や異物の侵入を防止するカバー部材または逆止機構を配置してもよい。また、流量計５０の一部分である測定部５３としてではなく、流量計５０の全体として、濾水計を適用してもよい。
【００２９】
ここで、参考形態に係る検査装置の一例について簡単に説明する。参考形態に係る検査装置では、測定部５３が取水部材２０と捕集部４０との間に配置される。かかる検査装置では、測定部５３を通過した流体の全量が捕集ネット４１に到達し、流体に含まれるマイクロプラスチックをはじめとする不溶性試料は捕集ネット４１ですべて捕集される。このため、参考形態に係る検査装置においては、簡便な構成であるにもかかわらず、採取した流体に混在する不溶性試料の量を精度よく算出することができるものであった。
【００３０】
しかしながら、例えば、流体に混在する不溶性試料の量が多い場合には、参考形態に係る検査装置が所定量の流体を採取する前に、捕集ネット４１が目詰まりすることで、測定部５３を通過した流体の一部が捕集ネット４１を通過せずに逆流する場合がある。捕集ネット４１で逆流した流体が測定部５３に戻って再カウントされることで、満足のいく精度が得られない場合があることが判明した。
【００３１】
そこで、実施形態に係る検査装置１では、捕集ネット４１の下流側に測定部５３（流量計５０）を配置するとともに、捕集ネット４１と流量計５０の間を筒状部材１０で接続することとした。これにより、例えば捕集ネット４１を通過した流体は、漏れなく測定部５３に到達する。また、捕集ネット４１が目詰まりした場合であっても、測定部５３の再カウントの要因にはならない。このため、実施形態に係る検査装置１によれば、採取した流体の総量および捕集した不溶性試料の量を簡便かつ精度よく測定することができる。
【００３２】
実施形態に係る検査装置１についてさらに説明する。筒状部材１０は、例えば紐やロープといった吊り下げ用部材を取り付ける取付部６０、６１を有してもよい。取付部６０は、筒状部材１０の一端１１側に、取付部６１は、筒状部材１０の他端１２側に、それぞれ配置することができる。吊り下げ用部材は、取付部６０、６１にそれぞれ取り付けられ、検査装置１が適切な姿勢となるようバランスを取りながら検査装置１の吊り下げおよび引き上げが行われる。
【００３３】
ところで、例えば岸壁など、引き上げ位置の周辺環境によっては、取付部６０、６１の両方に取り付けられた吊り下げ用部材を用いて引き上げると、例えば側面など、検査装置１の一部が引っかかり易くなり、作業性が低下することがある。かかる場合、取付部６０、６１のうち、一方に取り付けられた吊り下げ用部材を用いると、引き上げ易くなる。特に、筒状部材１０の一端側に設けられた取付部６１に取り付けられた吊り下げ用部材を用いて検査装置１を引き上げると、捕集ネット４１で捕集した不溶性試料を逸失してしまう可能性が低減する。なお、取付部６０は、取水部材２０に設けられてもよい。また、取付部６１は、流量計５０に設けられてもよい。
【００３４】
また、筒状部材１０は、捕集ネット４１を通過した流体を測定部５３に案内する案内部６２を有してもよい。このように案内部６２が設けられることにより、測定部５３における測定精度がさらに向上する。なお、案内部６２は、流量計５０が有してもよい。
【００３５】
また、捕集部４０の捕集ネット４１と筒状部材１０とを接続する１または複数の保持部６３を有してもよい。このように保持部６３が設けられることにより、捕集ネット４１の形状を保持することができ、通液性能がさらに向上する。なお、保持部６３は、筒状部材１０の内部で形状可変に捕集ネット４１を支持してもよい。このように保持部６３が形状可変に支持することにより、例えば捕集ネット４１内で滞留した空気の排出や、検査装置１を引き上げる際の捕集ネット４１で捕集した不溶性試料を逸失してしまう可能性を低減させるといった作業性が向上する。
【００３６】
［変形例］
図３は、実施形態の変形例に係る捕集部を示す図である。実施形態の変形例に係る検査装置１では、図２に示す捕集部４０に代えて、図３に示す捕集部７０を使用することができる。
【００３７】
図３に示すように、実施形態の変形例に係る捕集部７０は、複数の捕集部材７０ａ〜７０ｃを有する。捕集部材７０ａ〜７０ｃはそれぞれ、捕集ネット７１ａ〜７１ｃと、捕集ネット７１ａ〜７１ｃを支持する支持部７２ａ〜７２ｃとを有する。
【００３８】
捕集ネット７１ａ〜７１ｃはそれぞれ、捕集サイズが異なる。具体的には、捕集ネット７１ａ〜７１ｃのうち、上流側に位置する捕集ネット７１ａが最も捕集サイズが大きく、下流側に位置する捕集ネット７１ｃが最も捕集サイズが小さい。このように捕集サイズが異なる複数の捕集部材７０ａ〜７０ｃを有すると、捕集部７０での目詰まりがさらに起こりにくくなり、通液性能がさらに向上する。なお、支持部７２ａ〜７２ｃは、互いに接していてもよく、離れていてもよいが、通液性能を向上する観点からは、捕集ネット７１ａ〜７１ｃは離れていた方がよい。
【００３９】
なお、図３では、捕集部７０が３つの捕集部材７０ａ〜７０ｃを有する例を図示したが、２または４以上の捕集部材を有してもよい。また、例えば捕集サイズを段階的に異ならせた捕集ネットを有する１または複数の捕集部材を捕集部として適用してもよい。
【００４０】
［その他］
なお、上記した実施形態では、検査装置１が採取する流体は、河川を流れる水であるとして説明したが、これに限らず、例えば湖沼や貯水池の水であってもよく、海水であってもよい。
【００４１】
また、上記した実施形態では、検査装置１は、長さ方向が略水平方向に沿うような姿勢で使用するとして説明したが、取水部２６からの流体の採取が可能であればよく、例えば傾いた状態で検査装置１を使用してもよい。
【００４２】
また、上記した実施形態では、検査装置１は、取水口２１および補助取水口２３から流体を採取するとして説明したが、これに限らず、補助取水口２３の位置に取水口を有してもよく、取水口２１および補助取水口２３の区別なく一体化した取水口２１を有してもよい。
【００４３】
また、上記した実施形態では、検査装置１は、導入部３０を有し、流体を積極的に導入するとして説明したが、これに限らず、例えば導入部３０を有さなくてもよく、さらに、導入部３０および導入部３０を収容する取水部材２０を有さなくてもよい。例えば恒常的な流れを有する流域で検査を実施する場合には、導入部３０を有さない検査装置１であっても適切に流体を採取することができる。
【００４４】
［効果］
このように、検査装置１は、両端が開口した筒状部材１０と、捕集部４０と、流量計５０とを有する。捕集部４０は、筒状部材１０の内部に収容され、筒状部材１０の一端１１側から採取された流体に混在する不溶性試料を捕集する。流量計５０は、筒状部材１０の他端１２側に配置され、捕集部４０を通過した流体の流量を測定する。このため、検査装置１によれば、不溶性試料の捕集量と流体の流量とを簡便かつ精度よく測定することができる。
【００４５】
また、検査装置１は、筒状部材１０の一端１１側に流体を導入する導入部３０をさらに有する。このため、検査装置１によれば、設置箇所における流体の流れが少ない場合であっても、流体の採取効率を高めることができる。
【００４６】
また、筒状部材１０は、導入部３０および流量計５０と着脱可能に固定されている。このため、検査装置１によれば、検査装置１または検査装置１を構成する各部品の搬送や分解・組み立て、捕集部４０の洗浄や交換が容易になり、作業性が向上する。
【００４７】
また、筒状部材１０は、少なくとも長さ方向に伸縮可能な伸縮ダクトである。このため、検査装置１によれば、筒状部材１０をコンパクトにすることができるため、検査装置１または筒状部材１０の搬送が容易になる。
【００４８】
また、捕集部４０は、筒状部材１０の内部で形状可変に支持される。このため、検査装置１によれば、目的に応じた形状に捕集部４０を自由に変形させることができ、作業性が向上する。
【００４９】
また、筒状部材１０は、内部が直接または間接に視認可能に構成される。このため、検査装置１によれば、筒状部材１０の内部に配置された捕集ネット４１の形状や目詰まりの状況等が確認しやすくなる。
【００５０】
また、筒状部材１０は、吊り下げ用部材を取り付ける取付部６０、６１を一端１１側および他端１２側に有する。このため、検査装置１によれば、検査装置１が適切な姿勢となるようバランスを取りながら検査装置１の吊り下げや引き上げを行うことができる。
【００５１】
また、捕集部７０は、捕集サイズの異なる複数の捕集部材７０ａ〜７０ｃを有する。このため、検査装置１によれば、捕集部７０での目詰まりがさらに起こりにくくなり、通液性能がさらに向上する。
【００５２】
以上、本願の実施形態を図面に基づいて詳細に説明したが、これらは例示であり、発明の開示の欄に記載の態様を始めとして、当業者の知識に基づいて種々の変形、改良を施した他の形態で本発明を実施することが可能である。
【符号の説明】
【００５３】
１  検査装置
１０  筒状部材
２０  取水部材
２１  取水口
２２  整流部
２３  補助取水口
２６  取水部
３０  導入部
３１  本体部
３２  駆動部
４０、７０  捕集部
４１、７１ａ〜７１ｃ  捕集ネット
４２、７２ａ〜７２ｃ  支持部
５０  流量計
５３  測定部
５４  排出口
６０、６１  取付部
６２  案内部
６３  保持部
７０ａ〜７０ｃ  捕集部材
【図１】
2020180801.tif 000003
【図２】
2020180801.tif 000004
【図３】
2020180801.tif 000005